(57)【要約】      （修正有）【課題】ジャンプ力を測定するときに使用するもので、特に従来のジャンプ力測定器では自由な動きでの測定が困難であったランニングジャンプ力が安全かつ容易に測定できるジャンプ力測定器具を提供する。【解決手段】基盤１とチェーン２を基盤のはしご状の位置に必要数設置し、鎖の前面には紐裏面にはゴム板紐４を差し込み、ゴム板紐はしっかり固定し、紐は自由に移動できるように固定はしない測定具。【選択図】図１
2012071088.tif 000002
【特許請求の範囲】
【請求項１】
ジャンプ力測定具（１）。
【請求項２】
ジャンプ力測定具（１）の使用時の設置方式（２）。
【請求項３】
ジャンプ力測定具（１）のタッチ部チェーンの形状（３）。
【請求項４】
ジャンプ力測定具（１）の測定前のフラットの状態にするときの方式（４）。
【発明の詳細な説明】
【技術分野】
【０００１】  この発明はジャンプ力を測定するときに使用するもので、特に従来のジャンプ力測定器では自由な動きでの測定が困難であったランニングジャンプ力が容易に測定できる器具に関するものである。
【背景技術】
【０００２】  従来の測定器はサージャントジャンプメーターでその場での垂直飛び計測器であった。壁に固定するもので器具と壁までの距離がなくランニングジャンプ力を計測するには壁との接触などの危険も伴い最高の状態での測定は困難であった。移動式のものは、腰に紐を付けて測定する垂直飛び専用測定器ではランニングしての測定はできなかった。その他、滞空時間から跳躍高さを算出する滞空式垂直飛び器もマット上での跳躍高さ測定法でランニングジャンプ力を測定するものではなかった。
例えば特開２００１−３３３９９８号公報（特許文献１）や特開２００６−６４６９号公報（特許文献２）跳躍力養成遊具ではバーをタッチパネルに触れる方式を利用しているが、固定式で自由な動作ができかね、最高到達点判定器具の代用にも成り難いものであった。
特にバレーボール選手のアタックやブロック、バスッケトボール選手のシュートやリバウンドの時、移動しながらのジャンプ力を知り伸ばすことは技術面や作戦面で非常に重要であるが、いままでは足や腕を自由に動かしてジャンプ力を測定することができる適当な器具がなかった。【０００３】
【特許文献１】  特開２００１−３３３９９８号公報（特許請求の範囲、発明の効果、図１）
【特許文献２】  特開２００６−６４６９号公報（特許請求の範囲、発明の効果、図１）
【発明の概要】
【発明が解決しようとする課題】
【０００４】  これは次のような欠点があった。
（イ）従来の固定式のジャンプ力測定器は金属製でタッチ面も角張るためジャンプ力を測定するとき腕や指が器具に接触し怪我をする可能性があった。
（ロ）固定式のジャンプ力測定器で測定するときランニングジャンプをして計測するときは壁との距離が少なく、捻挫などの足のけがの心配があった。
（ハ）従来品のタッチ式測定方式ではタッチの力が弱いと測定棒を十分奥に押し込めず、タッチした位置の確認ができないことがあった。
（ニ）測定棒を元の位置に戻すとき、補助器具を使用するが、簡単には元に戻らないことがあった。
（ホ）従来の固定式測定器具を使用するためには設置工事が必要であった。
【課題を解決するための手段】
【０００５】  基盤（１）とチェーン（２）を基盤のはしご状の位置に必要数設置し、鎖の前面には紐（３）裏面にはゴム板紐（４）を差し込み固定し、紐は自由に移動できるように固定はしない。
本発明は、以上の構成よりなるジャンプ力測定器具である。
【発明の効果】
【０００６】  （イ）チェーンの形状上、丸みがあるためジャンプ力を測定するときの接触による事故の心配がなくなった。
（ロ）吊り下げ式の為、設置場所に考慮すれば、壁に接触する事故の心配がなくなった。
（ハ）少しでも触れれば、チェーンは水平方向に移動し、重力によりチェーンの後部は落下し、ゴム紐で前部は停止し、斜めの状態止めることができる。そのため、タッチした位置の確認が簡単になり正確に測定することができる。
（ニ）チェーンを元の位置に戻すとき、紐を引くことによりチェーンが簡単に元の位置に戻り便利になった。
（ホ）従来の固定式器具を使用するためには設置工事が必要であったが、本発明品は軽量で吊り下げ式の為簡単に設置でき、運搬、収納も容易にできる。
【図面の簡単な説明】
【０００７】
【図１】本発明の使用事例、全体図である。
【図２】本発明の使用事例、細部斜視図である。
【図３】本発明の正面図である。
【図４】本発明の側面図である。
【図５】本発明の分解斜視図である。
【発明を実施するための形態】
【０００８】  以下、本発明を実施するための最良の形態について説明する。
【実施例】図１は、本発明のジャンプ力測定器の使用事例、全体図、図２は、図１の使用事例、細部斜視図、図３は本発明の正面図、図４は側面図、図５は分解斜視図である。【０００９】  図１〜図２に基づき説明する。図１は被験者がジャンプしジャンプ力測定具に手を伸ばした状態の全体図である。図２は被験者がジャンプ力測定器に手が触れた状態の図である。チェーンは奥に押され、手が離れた後はふれたチェーンが重力で斜めに垂れ下がるためようにしている。【００１０】  図３は基盤の階段状の隙間に均等にチェーンを差し込んだ状態を示している正面図である。チェーンの中の前側にはチェーンを測定前のフラットの状態にするための紐と後ろ側にはチェーンの落下防止とチェーンの横へのねじれ防止目的の幅のあるゴム板紐をチェーンの内側に通している。【００１１】  図４は側面図である。測定前のフラットにするための紐の位置とゴム板紐の位置を示している。チェーンの長さと基盤の幅はチェーンの重心が基盤の階段状の枠の中央にくるように配慮し設置する。【００１２】  図５は分解斜視図である。基盤にはスケールをチェーンと並行に設置する。また、上部左右には基盤を吊り下げるための穴を２つ設置する。尚、チェーンの色に変化を持たせ、直接チェーンに数字を表記して長さを示してよい。ゴム板紐の幅はチェーンの内径より少しだけ幅を狭めとし、チェーンを押したときにスムーズに後方に移動し垂れ下がるようにする。また狭すぎるとチェーンの横へのねじれが生じることがあるので注意する。チェーンの厚さは階段状の枠の高さと関係するが半分程度で良い。チェーンはショートリンクチェーンよりロングリンクチェーンが望ましい。【００１３】  測定前のフラット状態にするための紐の位置はチェーンの重心が階段状の枠の中にくるように配慮する。紐の種類はチェーンを押したときに抵抗がなく、摩擦に強く何度使用できるようになるべく柔らかく、強い性質のものを使用する。【００１４】  ジャンプ力はジャンプ時の最高到達高からジャンプをしない状態で手を伸ばした時の高さを減じて算出する。ジャンプ時の最高到達高は床からジャンプ力測定器のスケール０までの高さに、ジャンプ測定器の指が触れたチェーンまでの長さを加え求める。
【符号の説明】
【００１５】１  基盤
２  チェーン
３  ゴム板紐
４  紐
５  ゴム紐固定用ピン
６  ゴム紐固定用ピンの穴
７  スケール
８  吊り下げ用の穴
【図１】
2012071088.tif 000003
【図２】
2012071088.tif 000004
【図３】
2012071088.tif 000005
【図４】
2012071088.tif 000006
【図５】
2012071088.tif 000007